(57)【要約】【課題】女性用下着のブラジャ−やスリップ等の肩紐付き下着の肩紐が着衣中に肩から滑り落ちないように、安全ピンの一片に開閉脱着自在の保持具を係合させて、上衣に安全ピンを固定し、肩紐に保持具を固定して、上衣と肩紐を繋げ、肩紐の滑り落ちを防止し、多数の上衣に付け替え可能な、肩紐安定装置付アクセサリ−を提供する。【解決手段】安全ピンの一片に開閉脱着自在の保持具を係合し、安全ピンを上衣に固定して、着衣したブラジャ−やスリップ等の肩紐を保持具に収納して鋏持させ、上衣と肩紐を繋げて、肩紐を上衣の動きと共に移動可能にして安定させ、しかも、上衣と肩紐が相互に引き合うのを和らげる孔穴（９）と空隙部（８）を設けた保持具で構成し、更に、多数の上衣に付け替えのできる構造を安全ピンで構成していることを特徴とする。【選択図】図１
2004060136.tif 000002
【特許請求の範囲】
【請求項１】
１．上保持板（２）と下保持板（３）を開閉脱着自在にした保持具（１０）の孔穴（９）に安全ピン（１）等を係合し、上衣（Ｂ）の両肩裏面側に安全ピン（１）部を固定し、着衣した肩紐（Ａ）を保持具（１０）の内側の空隙部（８）内に収納して固定し、上衣（Ｂ）と肩紐（Ａ）を連結せしめることを特徴とする女性用下着の肩紐安定装置付アクセサリ−
【発明の詳細な説明】
【０００１】
【発明の属する技術分野】
本発明は、肩紐（Ａ）を有する女性用下着のブラジャ−やスリップ等を着衣した時、肩紐（Ａ）を所定の位置に安定させることを可能にする、装飾を兼ねた女性用下着の肩紐安定装置付アクセサリ−に関するものである。
【０００２】
【従来の技術】
従来の肩紐（Ａ）を有する女性用下着のブラジャ−やスリップ等の肩紐（Ａ）は身頃が下に落ちないように肩にかけて着衣する。
【０００３】
【発明が解決しようとする課題】
しかしながら、肩紐（Ａ）は着衣中に肩から滑り落ちることがしばしばあり、特に撫で肩や肩巾の狭い体型の人達に多く発生しており、更に、シルクやシルク調の素材を使った身頃は肩紐（Ａ）も同様の素材を使用している為、肌ざわりが良くすべすべして落ち易く、袖の短い三部袖やノ−スリ−ブ等の上衣（Ｂ）を着衣した時、袖下から肩紐（Ａ）が覗いたり、布地やデザインによっては外見より肩紐（Ａ）が滑り落ちているのが見える為、お洒落感覚を減少させる欠点になるばかりか肩紐（Ａ）が肩から滑り落ちると、もそもそして気持ちが悪く不快感を覚えたり、その都度肩紐（Ａ）を肩に掛け直さなければならず不便である。
本発明は、従来の技術の有するこのような課題に鑑みてなされたものであり、その目的とするところは肩紐（Ａ）を所定の位置に安定可能にし、しかも装飾を兼ねた肩紐安定装置付アクセサリ−を提供しようとするものである。
【０００４】
【課題を解決するための手段】
上記の目的を達成する為、本発明における肩紐安定装置付アクセサリ−は安全ピン（１）等の一片に開閉脱着自在にした保持具（１０）を係合させて、上衣（Ｂ）の両肩裏面側に安全ピン（１）等を固定し、保持具（１０）の内側の空隙部（８）に肩紐（Ａ）を収納して固定し上衣（Ｂ）と肩紐（Ａ）を連結することで肩紐（Ａ）の位置を安定するように構成したものである。
【０００５】
【発明の実施の形態】
以下、本発明の実施の形態について説明する。
上述のように構成されているので、肩紐（Ａ）を有する女性用下着のブラジャ−やスリップ等を着衣した時、上衣（Ｂ）に取り付けた安全ピン（１）と保持具（１０）で肩紐（Ａ）と上衣（Ｂ）を連結させて、肩紐（Ａ）の移動を上衣（Ｂ）と共に移動させれば、完全に肩紐（Ａ）の動きを制動させて所定の位置に安定させる。
更に、身体の動きによって生じる上衣（Ｂ）の動きで肩紐（Ａ）を伸縮や前後に自由に移動可能にする空隙部（８）と安全ピン（１）の一片に係合した保持具（１０）を左右に自由に移動可能にして、上衣（Ｂ）と肩紐（Ａ）が相互に引き合うのを和らげる構造で構成し肩紐（Ａ）を安定可能にしたものである。
本発明の実施例を図１、図２、図３、図４、図５、図６、図７、図８、図９、を参照しながら説明する。
本実施例では、上保持板（２）と下保持板（３）を蝶番（６）で開閉自在に連設し上係止具（４）と下係止具（５）で係合できると共に、蝶番（６）側に孔穴（９）を設けて安全ピン（１）等と連結する。
１は安全ピンで、一片を保持具の一端に設けた孔穴に懸装する。
２は上保持板で、肩紐（Ａ）の巾を収納できる長さと下保持板（３）と係合できる上係止具（４）を有させ、一端に下保持板（３）が開閉できる蝶番（６）を連結させる。
３は下保持板で、肩紐（Ａ）の巾を収納できる長さと上保持板（２）と係合できる下係止具（５）を有させ、一端に上保持板（２）が開閉できる蝶番（６）を連結させる。
４は、上係止具、５は、下係止具で上保持板（２）の下面上方に下係止具（５）に係合する上係止具（４）を設け、下保持板（３）の上面上方には上係止具（４）に係合する下係止具（５）を設ける。
６は蝶番で、上保持板（２）の一端と下保持板（３）の一端を軸で開閉可能に軸支状態に連結する。
この上保持板（２）と下保持板（３）を連設することで保持具は形成される。
７はバネで、弾力性のあるバネを軸に上保持板（２）とバネを延長させた側を下保持板（３）の延設状態で構成し、上保持板（２）と下保持板（３）を係合させる上係止具（４）は湾曲の溝で構成され、下保持板（３）の先端は丸みを持たせた下係止具（５）で係合可能に設ける。
この上保持板（２）と下保持板（３）を連設することで保持具は形成される。
係合の構成は、掛け合わせや凸凹状のファスナ−や磁石等で特に限定されるもののではない。
８は、空隙部で上保持板（２）と下保持板（３）を閉鎖したときに肩紐（Ａ）が伸び縮みや前後に移動するのを容易にする空隙で、肩紐（Ａ）の厚さより広い内径を持たせた空隙である。
９は、孔穴で安全ピン（１）を懸装するもので、安全ピン（１）の棒針の外径より、孔穴の内径を大きく抜穴し保持具（１０）が安全ピン（１）の棒針内で任意に左右に移動可能に構成する。
１０は、保持具で上記の構造で構成されたものである。
これを使用するには、上衣（Ｂ）に取り付けた安全ピン（１）に係合した保持具（１０）の上係止具（４）と下係止具（５）を開放し、着衣したブラジャ−やスリップ等の肩紐（Ａ）を収納して、上保持具（４）と下保持具（５）を係合させて固定させる。
【０００６】
【発明の効果】
本発明は上述の通りの構成と使用状態によって次のような効果を奏する。
女性用下着のブラジャ−やスリップ等を着衣した時に、上衣（Ｂ）に安全ピン（１）を取り付け、次に保持具（１０）を開放し、肩紐（Ａ）を収納して鋏持すれば上衣（Ｂ）と肩紐（Ａ）は繋がれ、上衣（Ｂ）の取り付け位置に肩紐（Ａ）は安定し、撫で肩や肩巾の狭い体型の人達や、身体の動きで発生する肩紐（Ａ）の滑り落ちを防止することができる。
又、ブラジャ−やスリップ等を重ね着した場合に離散したり、別々に滑り落ちてみっともなくなるが、重ねて鋏持すれば２本の肩紐（Ａ）は１本ラインになるように演出でき美しい肩紐（Ａ）ラインを描ける。
更に、上保持板（２）と下保持板（３）を合成樹脂、ガラス、プラスチック、金属、陶器等の素材で、色彩や描絵、抜切り型等の形状で構成すれば、たとえ外見から見えた場合でもアクセサリ−としても活用できる。
しかも、この肩紐安定装置付アクセサ−は両肩に取り付けるので鏡を見ながら操作でき取り付け位置の状態も確認し易く、又、上衣（Ｂ）を取り替える度に付け替えができる利点もある。
【図面の簡単な説明】
【図１】本発明の実施例の開放状態を示した斜視図である。
【図２】本発明の保持具の開放状態を示した側面図である。
【図３】本発明の保持具の閉鎖状態を示した側面図である。
【図４】本発明の実施例を示した平面図である。
【図５】本発明の実施例の開放状態を示した斜視図である。
【図６】本発明の保持具の開放状態を示した側面図である。
【図７】本発明の保持具の閉鎖状態を示した側面図である。
【図８】本発明の実施例を示した平面図である。
【図９】本発明の実施例の装着状態を示した正面図である。
【符号の説明】
１…　安全ピン　　　　２…　上保持板　　　　３…　下保持板
４…　上係止具　　　　５…　下係止具　　　　６…　蝶番
７…　バネ　　　　　　８…　空隙部　　　　　９…　孔穴
１０…　保持具
Ａ…　肩紐　　　　　　Ｂ…　上衣
【図１】
2004060136.tif 000003
【図２】
2004060136.tif 000004
【図３】
2004060136.tif 000005
【図４】
2004060136.tif 000006
【図５】
2004060136.tif 000007
【図６】
2004060136.tif 000008
【図７】
2004060136.tif 000009
【図８】
2004060136.tif 000010
【図９】
2004060136.tif 000011